(57)【要約】【課題】ＳＡＳ信号の減衰のバラツキを低減するストレージ接続構造の提供。【解決手段】ＨＤＤ基板２１のコネクタ５０から制御基板２６との間の信号経路として、バックボード２２に固定的に配線された所定の信号減衰率が規定されたＳＡＳ規格の実装配線３０と、バックボード２２上に取り外し可能であって前記所定信号減衰率に比べて信号減衰率の低いＳＡＳ規格のケーブル配線３１とを設け、切り替え用ＩＣ５３が実装配線３０による経路の接続確認を行い、実装配線３０による経路の接続確認ができないときにケーブル配線３１に切り替えるストレージ接続構造。【選択図】図１
2015082165.tif 000002
【特許請求の範囲】
【請求項１】
バックボード上にコネクタを有する磁気ディスク装置を搭載した多数のＨＤＤ基板及び前記磁気ディスク装置を制御する制御基板を搭載するストレージ装置のストレージ接続構造であって、前記ＨＤＤ基板のコネクタから制御基板との間の信号経路が、バックボードに固定的に配線された所定の信号減衰率が規定されたＳＡＳ規格の実装配線と、バックボード上に取り外し可能であって前記所定信号減衰率に比べて信号減衰率の低いＳＡＳ規格のケーブル配線と、前記コネクタからの実装配線による経路の接続確認を行い、実装配線による経路の接続確認ができないときにケーブル配線に切り替える切り替え用ＩＣとを備えたことを特徴とするストレージ接続構造。
【請求項２】
前記切り替え用ＩＣが、実装配線による経路の接続確認を信号減衰率が所定の信号減衰率を上回るか否かにより判定することを特徴とする請求項１記載のストレージ接続構造。
【請求項３】
バックボード上にコネクタを有する磁気ディスク装置を搭載した多数のＨＤＤ基板及び前記磁気ディスク装置を制御する制御基板を搭載するストレージ装置のストレージ接続方法であって、前記ＨＤＤ基板のコネクタから制御基板との間の信号経路として、バックボードに固定的に配線された所定の信号減衰率が規定されたＳＡＳ規格の実装配線と、バックボード上に取り外し可能であって前記所定信号減衰率に比べて信号減衰率の低いＳＡＳ規格のケーブル配線とを設け、切り替え用ＩＣにより前記コネクタからの実装配線による経路の接続確認を行い、実装配線による経路の接続確認ができないときにケーブル配線に切り替えることを特徴とするストレージ接続方法。
【請求項４】
前記切り替え用ＩＣが、実装配線による経路の接続確認を信号減衰率が所定の信号減衰率を上回るか否かにより判定することを特徴とする請求項３記載のストレージ接続方法。
【発明の詳細な説明】
【技術分野】
【０００１】
本発明は、複数の基板にＨＤＤ（磁気ディスク装置）を搭載したストレージ装置におけるストレージ接続構造及びストレージ接続方法に係り、特に複数のＨＤＤと制御基板間のＳＡＳ（Ｓｅｒｉａｌ  Ａｔｔａｃｈｅｄ  ＳＣＳＩ）信号の減衰のバラツキを低減することができるストレージ接続構造及びストレージ接続方法に関する。
【背景技術】
【０００２】
近年のストレージ装置は、ＨＤＤを搭載した複数のＨＤＤ基板と、この複数のＨＤＤを制御するための制御基板と、これらＨＤＤ基板及び制御基板との間をＳＡＳ（Ｓｅｒｉａｌ  Ａｔｔａｃｈｅｄ  ＳＣＳＩ）接続する配線が施されたベースボードとを筐体に実装し、ストレージ装置のベースボード上のＳＡＳ接続が、ＳＡＳ信号の転送速度から信号劣化を防ぐための最大配線長を規定して配線するように構成されている。
【０００３】
なお、ストレージ装置の信号劣化を防止する技術が記載された文献としては、下記の特許文献１が挙げられ、この特許文献１には、搭載された複数の記憶装置にそれぞれ接続される複数の信号伝送線路と、複数の信号伝送線路を介して複数の記憶装置との間でそれぞれ信号の送受を行う複数のシステム側通信部と、複数の記憶装置と複数のシステム側通信部との間でやり取りされる信号を入力し、入力された信号を予め設定された補正パラメータに基づいて補正し、補正後の信号を出力する信号補正部とを備え、補正パラメータを、記憶装置とシステム側通信部との間の信号伝送線路の長さと、信号補正部に入力される信号の波長属性と、記憶装置に関する記憶装置属性とのうちの少なくとも一つに基づいた値に設定することによって、複数台の記憶装置の伝送に関する信号品質の劣化を防ぐ技術が記載されている。
【先行技術文献】
【特許文献】
【０００４】
【特許文献１】特開２００６−４２１７９号公報
【発明の概要】
【発明が解決しようとする課題】
【０００５】
前記の特許文献１に記載された技術は、信号伝送線路の長さと信号波長属性と記憶装置属性に基づく補正パラメータを用いて複数台の記憶装置の伝送に関する信号品質の劣化を防ぐことができるものの、近年のストレージ装置は、ＳＡＳ規格の変更によってＳＡＳ信号の転送速度が高速化し、最大配線長が従来より短くなり、ＨＤＤ数を増加（例えば、４８台から６４台に増加。）させた場合、波形信号が劣化してデータ転送エラーを招く可能性があるという課題があった。
【０００６】
本発明の目的は、前述の従来技術による課題しようとするものであり、複数のＨＤＤと制御基板間のＳＡＳ信号の減衰のバラツキを低減することができるストレージ接続構造及びストレージ接続方法を提供することである。
【課題を解決するための手段】
【０００７】
前記の目的を達成するために請求項１記載の発明は、バックボード上にコネクタを有する磁気ディスク装置を搭載した多数のＨＤＤ基板及び前記磁気ディスク装置を制御する制御基板を搭載するストレージ装置のストレージ接続構造であって、前記ＨＤＤ基板のコネクタから制御基板との間の信号経路が、バックボードに固定的に配線された所定の信号減衰率が規定されたＳＡＳ規格の実装配線と、バックボード上に取り外し可能であって前記所定信号減衰率に比べて信号減衰率の低いＳＡＳ規格のケーブル配線と、前記コネクタからの実装配線による経路の接続確認を行い、実装配線による経路の接続確認ができないときにケーブル配線に切り替える切り替え用ＩＣとを備えたことを第１の特徴とし、請求項２記載の発明は、第１の特徴のストレージ接続構造において、前記切り替え用ＩＣが、実装配線による経路の接続確認を信号減衰率が所定の信号減衰率を上回るか否かにより判定することを第２の特徴とする。
【０００８】
請求項３記載の発明は、バックボード上にコネクタを有する磁気ディスク装置を搭載した多数のＨＤＤ基板及び前記磁気ディスク装置を制御する制御基板を搭載するストレージ装置のストレージ接続方法であって、前記ＨＤＤ基板のコネクタから制御基板との間の信号経路として、バックボードに固定的に配線された所定の信号減衰率が規定されたＳＡＳ規格の実装配線と、バックボード上に取り外し可能であって前記所定信号減衰率に比べて信号減衰率の低いＳＡＳ規格のケーブル配線とを設け、切り替え用ＩＣにより前記コネクタからの実装配線による経路の接続確認を行い、実装配線による経路の接続確認ができないときにケーブル配線に切り替えることを第３の特徴とし、請求項４記載の発明は、第３の特徴のストレージ接続方法において、前記切り替え用ＩＣが、実装配線による経路の接続確認を信号減衰率が所定の信号減衰率を上回るか否かにより判定することを第４の特徴とする。
【発明の効果】
【０００９】
本発明によるストレージ接続構造及びストレージ接続方法は、ＨＤＤ基板のコネクタから制御基板との間の信号経路として、バックボードに固定的に配線された所定の信号減衰率が規定されたＳＡＳ規格の実装配線と、バックボード上に取り外し可能であって前記所定信号減衰率に比べて信号減衰率の低いＳＡＳ規格のケーブル配線とを設け、切り替え用ＩＣにより前記コネクタからの実装配線による経路の接続確認を行い、実装配線による経路の接続確認ができないときにケーブル配線に切り替えることによって、複数のＨＤＤと制御基板間のＳＡＳ信号の減衰のバラツキを低減することができる。
【図面の簡単な説明】
【００１０】
【図１】本発明の一実施形態によるストレージ接続構造を含むストレージ装置を示す平面図。
【図２】本実施形態によるストレージ装置の側面図。
【図３】本実施形態によるＨＤＤ基板と制御基板間の概略構成を示す図。
【図４】本実施形態によるストレージ接続方法の動作を説明するためのフロー図。
【発明を実施するための形態】
【００１１】
以下、本発明の一実施形態によるストレージ接続構造及びストレージ接続方法を図面を参照して詳細に説明する。
本実施形態によるストレージ接続方法を適用したストレージ接続構造は、ストレージ装置１０の平面を表す図１上段の如く、バックボード２２上にＨＤＤを搭載した多数のＨＤＤ基板２１及び制御基板２６を搭載し、このＨＤＤ基板２１から制御基板２６との間の信号経路として、バックボード２２に固定的に配線された所定の信号減衰率が規定されたＳＡＳ規格の実装配線３０と、バックボード２２上に取り外し可能であって前記所定信号減衰率に比べて信号減衰率の低いＳＡＳ規格のケーブル配線３１とを備える。
【００１２】
前記のＨＤＤ基板２１は、図１の左下に示す如く、コネクタ５０を有するＨＤＤ４０と、前記コネクタ５０と実装配線３０とケーブル配線３１とに接続され、信号波形により経路の接続確認を信号波形によって行い、接続確認により接続が確認できたときにコネクタ５０を実装配線３０に接続し、接続確認により接続が確認できないときにコネクタ５０をケーブル配線３１に接続するように動作する切り替え用ＩＣ（Ｉｎｔｅｇｒａｔｅｄ  Ｃｉｒｃｕｉｔ）５３とを備え、前記制御基板２６は、図１の右下に示す如く、実装配線３０とケーブル配線３１が接続されている。
【００１３】
このストレージ装置は、装置の側面を表す図２に示す如く、筐体１１内のバックボード２２上に左側から複数のＨＤＤ４０と、２枚の制御基板２６と、この制御基板２６と接続されるフレキシブルプリント基板３１及び上位接続部５５とを備え、前記バックボード２２にケーブル配線３１が増設されている。
【００１４】
このように構成された本実施形態によるストレージ装置のＨＤＤ４０と制御基板２６との間のストレージ接続構造の概略配線は、図３に示す如く、バックボード２２上に配置されたＨＤＤ４０と制御基板２６との接続経路として、ＨＤＤ４０のコネクタ５０から制御基板２６のコネクタ５２間に、バックボード２２に固定的に配線された所定信号減衰率のＳＡＳ規格の実装配線３０と、バックボード２２上に取り外し可能であって前記所定信号減衰率に比べて信号減衰率の低いＳＡＳ規格のケーブル配線３１とが並列して接続され、前記制御基板２６からケーブル３１を介してＤＫＣ（磁気ディスク装置制御部）７０に接続されるように構成されている。
【００１５】
このように構成されたストレージ装置のストレージ接続構造の動作は、図４に示す如く、ＨＤＤ基板２１上の切り替え用ＩＣ５３が、対象とするポートを選択するステップＳ４１と、該ステップＳ４１により選択したポートの経路の接続が確認できるか否かを判定するステップＳ４２と、該ステップＳ４２において経路接続が確認できると判定したとき、実装配線３０の経路を更正（活性化）可能か否かを判定するステップＳ４４と、このステップＳ４４において更正可能でないと判定したとき、又は前記ステップＳ４２において経路接続が確認できないと判定したとき、ケーブル配線３１の経路を更正（活性化）可能か否かを判定し、更正できないと判定したときに処理を終了するステップＳ４３と、該ステップＳ４３において更正可能と判定したとき、ケーブル配線３１の経路接続が確認できるか否かを判定し、確認できないと判定したときに処理を終了するステップＳ４５と、このステップＳ４５において経路接続が確認できたと判定したとき、又は前記ステップＳ４４において更正可能と判定したとき、データ転送を開始するステップＳ４６とを実行することによって、実装配線３０の経路が所定信号減衰率の場合、所定信号減衰率に比べて信号減衰率の低いＳＡＳ規格のケーブル配線３１に切り替えるように動作することによって、複数のＨＤＤと制御基板間のＳＡＳ信号の減衰のバラツキを低減することができる。
【符号の説明】
【００１６】
１０  ストレージ装置、１１  筐体、２１  ＨＤＤ基板、２２  バックボード、
２６  制御基板、３０  実装配線、３１  ケーブル配線、
３１  フレキシブルプリント基板、５０  コネクタ、５２  コネクタ、
５３  切り替え用ＩＣ、５５  コネクタ、５５  上位接続部
【図１】
2015082165.tif 000003
【図２】
2015082165.tif 000004
【図３】
2015082165.tif 000005
【図４】
2015082165.tif 000006